(57)【要約】【課題】入射光の利用効率を低下させることなく、周辺部材と容易に接続することが可能な電極を有する光学素子、光アシスト磁気記録ヘッド、及び光アシスト磁気記録装置を提供する。【解決手段】光を記録媒体に伝播し照射する光伝播部材を備えたスライダに載置され、入射した光を反射して光伝播部材に導く反射面を有する光学素子において、光学素子の反射面と同じ方向のスライダの端面には第１の電極が配され、光学素子の反射面は、入射した光を全て反射して光伝播部材に導き、且つ、光学素子の反射面を含む端部には第２の電極が配される面が形成され、スライダに光学素子が載置された状態で、スライダの第１の電極が配された端面と光学素子の第２の電極が配された面とは連続している。【選択図】図２
2010267354.tif 000002
【特許請求の範囲】
【請求項１】
光を記録媒体に伝播し照射する光伝播部材を備えたスライダに載置され、入射した光を反射して前記光伝播部材に導く反射面を有する光学素子において、
前記光学素子の前記反射面と同じ方向の前記スライダの端面には第１の電極が配され、
前記光学素子の前記反射面は、前記入射した光を全て反射して前記光伝播部材に導き、且つ、前記光学素子の前記反射面を含む端部には第２の電極が配される面が形成され、
前記スライダに前記光学素子が載置された状態で、
前記スライダの前記第１の電極が配された端面と前記光学素子の前記第２の電極が配された面とは連続していることを特徴とする光学素子。
【請求項２】
前記光学素子の前記反射面は、平坦な傾斜面であり、
前記傾斜面は、前記入射した光を反射して前記スライダの上部に設けられた前記光伝播部材の入射位置に照射することを特徴とする請求項１に記載の光学素子。
【請求項３】
前記光学素子の前記反射面は、平坦な傾斜面であり、
前記傾斜面は、前記入射した光を反射して前記スライダの端部に設けられた前記光伝播部材の入射位置に照射することを特徴とする請求項１に記載の光学素子。
【請求項４】
前記光学素子の前記反射面は、曲面であり、
前記曲面は、前記入射した光を反射して前記スライダの上部に設けられた前記光伝播部材の入射位置に集光することを特徴とする請求項１に記載の光学素子。
【請求項５】
前記光学素子の前記反射面は、曲面であり、
前記曲面は、前記入射した光を反射して前記スライダの端部に設けられた前記光伝播部材の入射位置に集光することを特徴とする請求項１に記載の光学素子。
【請求項６】
請求項１から５の何れか１項に記載の光学素子と、
前記スライダと、を備え、
前記スライダは、前記記録媒体に磁気記録を行い前記第１の電極に接続される磁気記録部を有することを特徴とする光アシスト磁気記録ヘッド。
【請求項７】
前記第１の電極と前記第２の電極は、半田によって接続されていることを特徴とする請求項６に記載の光アシスト磁気記録ヘッド。
【請求項８】
請求項６または７に記載の光アシスト磁気記録ヘッドと、
前記記録媒体と、を有することを特徴とする光アシスト磁気記録装置。
【発明の詳細な説明】
【技術分野】
【０００１】
本発明は、光学素子、光アシスト磁気記録ヘッド、及び光アシスト磁気記録装置に関する。
【背景技術】
【０００２】
磁気記録方式では、記録密度が高くなると磁気ビットが外部温度等の影響を顕著に受けるようになる。この為、高い保磁力を有する記録媒体が必要になるが、そのような記録媒体を使用すると記録時に必要な磁界も大きくなる。記録ヘッドによって発生する磁界は飽和磁束密度によって上限が決まるが、その値は材料限界に近づいており飛躍的な増大は望めない。そこで、記録時に局所的に加熱して磁気軟化を生じさせ、保磁力が小さくなった状態で記録し、その後に加熱を止めて自然冷却することにより、記録した磁気ビットの安定性を保証する方式が提案されている。この方式は熱アシスト磁気記録方式と呼ばれている。
【０００３】
熱アシスト磁気記録方式では、記録媒体の加熱を瞬間的に行うことが望ましい。また、加熱する機構と記録媒体とが接触することは許されない。この為、加熱は光の吸収を利用して行われるのが一般的であり、加熱に光を用いる方式は光アシスト式と呼ばれている。
【０００４】
光アシスト磁気記録方式として、特許文献１及び特許文献２には、図６に示す構成の光アシスト磁気記録ヘッド（以下、光ヘッドとも記する）が提案されている。図６（ａ）は、その光ヘッド３の構成を示す断面模式図、図６（ｂ）は、プリズム１４の構成を示す斜視図である。
【０００５】
図６（ａ）、図６（ｂ）に示すように、光ヘッド３は、記録媒体２に情報を読み書きする磁気記録部１７、磁気再生部１８、及び光源からの光を伝播し記録媒体２に照射する光伝播部材である光導波路１６を備えたスライダ１５、該スライダ１５を記録媒体２の上を浮上させて相対移動可能に支持するサスペンション４、及び光源から光ファイバー１１を介して入射する光を反射させてスライダ１５の光導波路１６に導くプリズム１４等の光学素子を備えている。
【先行技術文献】
【特許文献】
【０００６】
【特許文献１】国際公開第２００８／０２３５７８号
【特許文献２】特開２００８−２９３５８０号公報
【発明の概要】
【発明が解決しようとする課題】
【０００７】
ところで、このような構成の光ヘッド３においては、図６（ａ）に示すように、光導波路１６は、磁気記録部１７、磁気再生部１８と並べて配置されるが、その位置は、スライダ１５の前面１５ａから数１０μｍ程度である。したがって、プリズム１４で反射された光の収束角度（ＮＡ）を考慮し、光の落射点を光導波路１６に合わせるようにプリズム１４をスライダ１５に対して配置するとプリズム１４の先端部Ａ部がスライダ１４の前面１５ａからはみ出してしまう可能性がある。
【０００８】
したがって、特許文献１や特許文献２に記載の光ヘッドでは、この先端部Ａ部の存在によって、磁気記録部１７及び磁気再生部１８への電気的な接続が困難になる恐れがあった。
【０００９】
本発明は、上記課題を鑑みてなされたもので、入射光の利用効率を低下させることなく、周辺部材と容易に接続することが可能な電極を有する光学素子、光アシスト磁気記録ヘッド、及び光アシスト磁気記録装置を提供することを目的とする。
【課題を解決するための手段】
【００１０】
上記目的は、下記の１から８の何れか１項に記載の発明によって達成される。
【００１１】
１．光を記録媒体に伝播し照射する光伝播部材を備えたスライダに載置され、入射した光を反射して前記光伝播部材に導く反射面を有する光学素子において、
前記光学素子の前記反射面と同じ方向の前記スライダの端面には第１の電極が配され、
前記光学素子の前記反射面は、前記入射した光を全て反射して前記光伝播部材に導き、且つ、前記光学素子の前記反射面を含む端部には第２の電極が配される面が形成され、
前記スライダに前記光学素子が載置された状態で、
前記スライダの前記第１の電極が配された端面と前記光学素子の前記第２の電極が配された面とは連続していることを特徴とする光学素子。
【００１２】
２．前記光学素子の前記反射面は、平坦な傾斜面であり、
前記傾斜面は、前記入射した光を反射して前記スライダの上部に設けられた前記光伝播部材の入射位置に照射することを特徴とする前記１に記載の光学素子。
【００１３】
３．前記光学素子の前記反射面は、平坦な傾斜面であり、
前記傾斜面は、前記入射した光を反射して前記スライダの端部に設けられた前記光伝播部材の入射位置に照射することを特徴とする前記１に記載の光学素子。
【００１４】
４．前記光学素子の前記反射面は、曲面であり、
前記曲面は、前記入射した光を反射して前記スライダの上部に設けられた前記光伝播部材の入射位置に集光することを特徴とする前記１に記載の光学素子。
【００１５】
５．前記光学素子の前記反射面は、曲面であり、
前記曲面は、前記入射した光を反射して前記スライダの端部に設けられた前記光伝播部材の入射位置に集光することを特徴とする前記１に記載の光学素子。
【００１６】
６．前記１から５の何れか１項に記載の光学素子と、
前記スライダと、を備え、
前記スライダは、前記記録媒体に磁気記録を行い前記第１の電極に接続される磁気記録部を有することを特徴とする光アシスト磁気記録ヘッド。
【００１７】
７．前記第１の電極と前記第２の電極は、半田によって接続されていることを特徴とする前記６に記載の光アシスト磁気記録ヘッド。
【００１８】
８．前記６または７に記載の光アシスト磁気記録ヘッドと、
前記記録媒体と、を有することを特徴とする光アシスト磁気記録装置。
【発明の効果】
【００１９】
本発明によれば、光学素子の反射面は、入射した光を全て反射してスライダの光伝播部材に導き、且つ、スライダに光学素子が載置された状態で、スライダの第１の電極が配された端面に連続するように、光学素子の反射面を含む端部に第２の電極が配される面を形成する構成とした。
【００２０】
これにより、スライダに光学素子が載置された状態で、スライダの第１の電極に対し光学素子の第２の電極を連続した態様で形成することができる。その結果、入射光の利用効率を低下させることなく、光学素子をスライダに容易に電気的に接続することが可能となる。
【図面の簡単な説明】
【００２１】
【図１】本発明の実施形態に係る光アシスト磁気記録装置の概略構成を示す斜視図である。
【図２】実施形態１による光ヘッドの構成を示す断面模式図、及び主に光学素子の構成を示す斜視図である。
【図３】実施形態２による光ヘッドの構成を示す断面模式図、及び主に光学素子の構成を示す斜視図である。
【図４】実施形態３による光ヘッドの構成を示す断面模式図、及び主に光学素子の構成を示す斜視図である。
【図５】実施形態４による光ヘッドの構成を示す断面模式図、及び主に光学素子の構成を示す斜視図である。
【図６】従来の光ヘッドの構成を示す断面模式図、及び光学素子の構成を示す斜視図である。
【発明を実施するための形態】
【００２２】
以下図面に基づいて、本発明の実施形態に係る光学素子、光アシスト磁気記録ヘッド、及び光アシスト磁気記録装置を説明する。尚、本発明を図示の実施の形態に基づいて説明するが、本発明は該実施の形態に限られない。また、各実施の形態の相互で同一の部分や相当する部分には同一の符号を付して重複の説明を適宜省略する。
【００２３】
図１に、本発明の実施形態に係る光アシスト磁気記録ヘッド（以下、光ヘッドとも記する）を搭載した光アシスト磁気記録装置（例えば、ハードディスク装置）の概略構成を示す。
【００２４】
光アシスト磁気記録装置１Ａは、記録用のディスク（磁気記録媒体）２、支軸５を支点として矢印Ａの方向（トラッキング方向）に回転可能に設けられたサスペンション４、サスペンション４に取り付けられたトラッキング用アクチュエータ６、サスペンション４の先端に取り付けられた光ヘッド３、及びディスク２を矢印Ｂの方向に回転させる図示しないモータ等を筐体１の中に備えており、光ヘッド３がディスク２の上で浮上しながら相対的に移動しうるように構成されている。
【００２５】
〔実施形態１〕
実施形態１による光ヘッド３の構成を図２を用いて説明する。図２（ａ）は、光ヘッド３の概略構成を示す断面模式図、図２（ｂ）は、主にプリズム１４の構成を示す斜視図である。
【００２６】
光ヘッド３は、ディスク２に対する情報記録に光を利用する光ヘッドである。光ヘッド３は、図示しない光源からの光をディスク２の被記録部分に照射しスポット加熱する光導波路（光伝播部材）１６、ディスク２の被記録部分に対して磁気情報の書き込みを行う磁気記録部１７、ディスク２に記録されている磁気情報の読み取りを行う磁気再生部１８等を有するスライダ１５、該スライダ１５をディスク２の上を浮上させて相対移動可能に支持するサスペンション４、光源から図示しない光ファイバー等の導光部材を介して導かれた光を集光させる図示しない集光光学系、及び該集光光学系からの光を反射させてスライダ１５の光導波路１６に導くプリズム（光学素子）１４等を備えている。光ファイバー、集光光学系は、プリズム１４に設けられたＶ字状の溝１４ｖに固定されている。
【００２７】
尚、図２ではディスク２の記録領域の進入側から退出側（図の→方向）にかけて、磁気再生部１８、光導波路１６、磁気記録部１７の順に配置されているが、配置順はこれに限らない。光導波路１６の退出側直後に磁気記録部１７が位置すればよいので、例えば、光導波路１６、磁気記録部１７、磁気再生部１８の順に配置してもよい。
【００２８】
光ファイバーにより導光される光は、例えば、半導体レーザーより出射される光である。光ファイバーの端面から出射したレーザー光は、集光光学系、平坦な傾斜面（反射面）１４ａを有するプリズム１４によって、スライダ１５の上部に設けられた光導波路１６の入射位置に照射され、この光アシスト部を成す光導波路１６を導波して光ヘッド３からディスク２に向けて出射する。
【００２９】
スライダ１５は浮上しながら磁気記録媒体であるディスク２に対して相対的に移動するが、媒体に付着したごみや、媒体に欠陥がある場合には接触する可能性がある。その場合に発生する摩耗を低減する為、スライダ１５の材質には耐摩耗性の高い硬質の材料を用いることが望ましい。例えば、Ａｌ２Ｏ３を含むセラミック材料、例えばＡｌＴｉＣやジルコニア、ＴｉＮなどを用いればよい。また、摩耗防止処理として、スライダ１５のディスク２側の面に耐摩耗性を増す為に表面処理を行ってもよい。例えば、ＤＬＣ（Ｄｉａｍｏｎｄ  Ｌｉｋｅ  Ｃａｒｂｏｎ）被膜を用いると、光の透過率も高く、ダイヤモンドに次ぐＨｖ＝３０００以上の硬度が得られる。
【００３０】
また、スライダ１５のディスク２と対峙する面には、浮上特性向上の為の空気ベアリング面（ＡＢＳ（Ａｉｒ  Ｂｅａｒｉｎｇ  Ｓｕｒｆａｃｅ）面とも称する。）を有している。スライダ１５の浮上はディスク２に近接した状態で安定させる必要があり、スライダ１５に浮上力を抑える圧力を適宜加える必要がある。この為、スライダ１５を支持するサスペンション４は、光ヘッド３のトラッキングを行う機能の他、スライダ１５の浮上力を抑える圧力を適宜加える機能を有している。
【００３１】
光ヘッド３から出射したレーザー光が微小なスポットとしてディスク２に照射されると、ディスク２の照射された部分の温度が一時的に上昇してディスク２の保持力が低下する。その保持力の低下した状態の照射された部分に対して、磁気記録部１７により磁気情報が書き込まれる。
【００３２】
ここで、このような構成の光ヘッド３において、スライダ１５に設けられた磁気記録部１７、磁気再生部１８と図示しない外部の制御回路との接続方法を説明する。
【００３３】
スライダ１５の前面（端面）１５ａには、磁気記録部１７、磁気再生部１８等と電気的に接続された電極１５Ｄ（第１の電極）が設けられている。また、スライダ１５を支持するサスペンション４の前面（端面）４ａには、外部の制御回路とスライダ１５の磁気記録部１７、磁気再生部１８との間で電気信号の伝搬を行う為の電極４Ｄが設けられている。そして、サスペンション４とスライダ１５の間に介在するプリズム１４の前面（反射面）１４ａには、サスペンション４とスライダ１５に設けられたそれぞれの電極４Ｄ、電極１５Ｄを中継する電極１４Ｄ（第２の電極）が設けられている。
【００３４】
この時、電極１４Ｄの上端側はサスペンション４の電極４Ｄに近接しているので半田ＳＬ１で容易に接続することができる。そして本発明においては、電極１４Ｄの下端側もスライダ１５の電極１５Ｄに半田ＳＬ２で容易に接続できるようにするものである。具体的には、プリズム１４の反射面１４ａの下端部１４ｘがスライダ１５の前面１５ａからはみ出さないようにその一部を垂直方向に削除し、スライダ１５の電極１５が配された前面（端面）１５ａとプリズム１４の電極１４Ｄが配された前面（反射面）１４ａの下端部１４ｘとが連続するようにするものである。尚、プリズム１４の反射面１４ａは、入射した光を全て反射してスライダ１５の光導波路１６に導くことができるに足り得る面領域を残して、その先端が削除されている。また、それぞれの部材に設けられた電極（４Ｄ、１４Ｄ、１５Ｄ）は、簡略化してそれぞれ１本のみ図示しているが、実施には複数本（例えば４〜５本程度）設けられている。
【００３５】
〔実施形態２〕
実施形態２による光ヘッド３の構成を図３を用いて説明する。図３（ａ）は、光ヘッド３の概略構成を示す断面模式図、図３（ｂ）は、主にプリズム１４の構成を示す斜視図である。本実施形態による光ヘッド３の基本構成は、実施形態１の場合と概ね同様なので重複する説明は省略し、異なるプリズム１４、光導波路１６について説明する。尚、以下の実施形態における図では、磁気記録部１７、磁気再生部１８は省略している。
【００３６】
光導波路１６は、スライダ１５の端部（前面１５ａの近傍）に設けられている。光導波路１６は、例えば、透過型回折格子を有するプリズム１６１を側面に備え、所定の角度で側面から入射した光を導波光に変換し下方に伝播する、例えばソリッド・イマージョン・ミラー（ＰＳＩＭ；Ｐｌａｎａｒ  Ｓｏｌｉｄ  Ｉｍｍｅｒｓｉｏｎ  Ｍｉｒｒｏｒ）を用いることができる。
【００３７】
光ファイバーの端面から出射したレーザー光は、平行光に変換する図示しないコリメータ光学系、平坦な傾斜面（反射面）１４ａを有するプリズム１４によって、スライダ１５の端部に設けられた光導波路１６の入射位置に照射され、この光アシスト部を成す光導波路１６を導波して光ヘッド３からディスク２に向けて出射する。
【００３８】
ここで、このような構成の光ヘッド３において、スライダ１５に設けられた磁気記録部１７、磁気再生部１８と図示しない外部の制御回路との接続方法を説明する。
【００３９】
スライダ１５の前面（端面）１５ａには、磁気記録部１７、磁気再生部１８等と電気的に接続された電極１５Ｄ（第１の電極）が設けられている。また、スライダ１５を支持するサスペンション４の前面（端面）４ａには、外部の制御回路とスライダ１５の磁気記録部１７、磁気再生部１８との間で電気信号の伝搬を行う為の電極４Ｄが設けられている。そして、サスペンション４とスライダ１５の間に介在するプリズム１４の前面（反射面）１４ａの両側には、サスペンション４とスライダ１５に設けられたそれぞれの電極４Ｄ、電極１５Ｄを中継する電極１４Ｄ（第２の電極）が設けられる面１４ｐ（面１４ｑ）が形成されている。
【００４０】
この時、電極１４Ｄの上端側はサスペンション４の電極４Ｄに近接しているので半田ＳＬ１で容易に接続することができる。そして本発明においては、電極１４Ｄの下端側もスライダ１５の電極１５Ｄに半田ＳＬ２で容易に接続できるようにするものである。具体的には、プリズム１４の前面（反射面）１４ａの両側に形成された電極１４Ｄが設けられる面１４ｐ（面１５ｑ）がスライダ１５の前面１５ａからはみ出さないように削除し、スライダ１５の電極１５が配された前面（端面）１５ａとプリズム１４の電極１４Ｄが配された面１４ｐ（面１５ｑ）とが連続するようにするものである。尚、プリズム１４の反射面１４ａは、入射した光を全て反射してスライダ１５の光導波路１６に導くことができるに足り得る面領域を残して、その両側が削除されている。また、それぞれの部材に設けられた電極（４Ｄ、１４Ｄ、１５Ｄ）は、簡略化してそれぞれ１本のみ図示しているが、実施には複数本（例えば４〜５本程度）設けられている。
【００４１】
〔実施形態３〕
実施形態３による光ヘッド３の構成を図４を用いて説明する。図４（ａ）は、光ヘッド３の概略構成を示す断面模式図、図４（ｂ）は、主にプリズム１４の構成を示す斜視図である。本実施形態による光ヘッド３の基本構成は、実施形態１の場合と概ね同様なので重複する説明は省略し、異なるプリズム１４について説明する。
【００４２】
光ファイバー１１の端面から出射したレーザー光は、凹面（反射面）１４ａを有するプリズム１４によって、スライダ１５の上部に設けられた光導波路１６の入射位置に集光され、この光アシスト部を成す光導波路１６を導波して光ヘッド３からディスク２に向けて出射する。
【００４３】
このような構成の光ヘッド３において、実施形態２の場合と同様に、プリズム１４の前面（反射面）１４ａの両側に形成された電極１４Ｄが設けられる面１４ｐ（面１５ｑ）がスライダ１５の前面１５ａからはみ出さないように削除し、スライダ１５の電極１５Ｄが配された前面（端面）１５ａとプリズム１４の電極１４Ｄが配された面１４ｐ（面１４ｑ）とが連続するようする。これにより、電極１４Ｄの下端側をスライダ１５の電極１５Ｄに半田ＳＬ２で容易に接続することができる。
【００４４】
〔実施形態４〕
実施形態４による光ヘッド３の構成を図５を用いて説明する。図５（ａ）は、光ヘッド３の概略構成を示す断面模式図、図５（ｂ）は、主にプリズム１４の構成を示す斜視図である。本実施形態による光ヘッド３の基本構成は、実施形態３の場合と概ね同様なので重複する説明は省略し、異なる光導波路１６について説明する。
【００４５】
光導波路１６は、実施形態２の場合と同様に、スライダ１５の端部（前面１５ａの近傍）に設けられている。光導波路１６は、例えば、透過型回折格子を有するプリズム１６１を側面に備え、所定の角度で側面から入射した光を導波光に変換し下方に伝播する、例えばソリッド・イマージョン・ミラー（ＰＳＩＭ；Ｐｌａｎａｒ  Ｓｏｌｉｄ  Ｉｍｍｅｒｓｉｏｎ  Ｍｉｒｒｏｒ）を用いることができる。
【００４６】
光ファイバー１１の端面から出射したレーザー光は、凹面（反射面）１４ａを有するプリズム１４によって、スライダ１５の端部に設けられた光導波路１６の入射位置に集光され、この光アシスト部を成す光導波路１６を導波して光ヘッド３からディスク２に向けて出射する。
【００４７】
このような構成の光ヘッド３において、実施形態３の場合と同様に、プリズム１４の前面（反射面）１４ａの両側に形成された電極１４Ｄが設けられる面１４ｐ（面１５ｑ）がスライダ１５の前面１５ａからはみ出さないように削除し、スライダ１５の電極１５Ｄが配された前面（端面）１５ａとプリズム１４の電極１４Ｄが配された面１４ｐ（面１４ｑ）とが連続するようする。これにより、電極１４Ｄの下端側をスライダ１５の電極１５Ｄに半田ＳＬ２で容易に接続することができる。
【００４８】
このように本発明の実施形態に係るプリズム（光学素子）１４の反射面１４ａは、入射した光を全て反射してスライダ１５の光導波路（光伝播部材）１６に導き、且つ、スライダ１５にプリズム１４が載置された状態で、スライダ１５の電極１５Ｄ（第１の電極）が配された前面（端面）１５ａに連続するように、プリズム１４の反射面１４ａを含む端部に電極１４Ｄ（第２の電極）が配される面（１４ｘ、１４ｐ、１４ｑ）を形成する構成とした。
【００４９】
これにより、スライダ１５にプリズム１４が載置された状態で、スライダ１５の電極１５Ｄ（第１の電極）に対しプリズム１４の電極１４Ｄ（第２の電極）を連続した態様で形成することができる。その結果、入射光の利用効率を低下させることなく、プリズム１４をスライダ１５に容易に電気的に接続することが可能となる。
【符号の説明】
【００５０】
１Ａ  光アシスト磁気記録装置
１  筐体
２  ディスク
３  光アシスト磁気記録ヘッド（光ヘッド）
４  サスペンション
４Ｄ、１４Ｄ、１５Ｄ  電極
５  支軸
６  アクチュエータ
１１  光ファイバー
１４  プリズム（光学素子）
１５  スライダ
１６  光導波路
１７  磁気記録部
１８  磁気再生部
ＳＬ１、ＳＬ２  半田
【図１】
2010267354.tif 000003
【図２】
2010267354.tif 000004
【図３】
2010267354.tif 000005
【図４】
2010267354.tif 000006
【図５】
2010267354.tif 000007
【図６】
2010267354.tif 000008